(57)【特許請求の範囲】
【請求項１】
成形システムのための油圧システムであって、該成形システムは、型締アクチュエータと射出アクチュエータとを有し、
前記油圧システムは、
前記型締アクチュエータを作動させるために用いられる作動油を貯蔵するための型締アキュムレータと、
前記射出アクチュエータを作動させるために用いられる作動油を貯蔵するための射出アキュムレータと、
前記射出アキュムレータと前記射出アクチュエータとの間の作動油の圧力を測定するための圧力センサと、
前記圧力の測定に基づいて、前記型締アキュムレータ及び前記射出アキュムレータに作動油を搬送するためのサーボポンプと、
前記サーボポンプを前記型締アキュムレータ及び前記射出アキュムレータの一方に選択的に流体接続させるための切換弁と、
作動油を貯蔵するためのリザーバであって、前記サーボポンプは、該リザーバに接続され、かつ前記サーボポンプは、前記リザーバから前記切換弁を介して前記射出アキュムレータ及び前記型締アキュムレータの一方に作動油を搬送するように構成されている、リザーバと、
を備える油圧システム。
【請求項２】
前記成形システムは、金型エジェクタユニットを有し、
前記油圧システムは、該金型エジェクタユニットを作動させるに際して用いられる作動油を貯蔵するためのエジェクタアキュムレータをさらに備え、
前記切換弁は、前記サーボポンプを前記型締アキュムレータと前記エジェクタアキュムレータとの両方若しくは前記射出アキュムレータのいずれかに選択的に流体接続する、請求項１に記載の油圧システム。
【請求項３】
前記エジェクタアキュムレータは、前記型締アキュムレータと並列に接続されている、請求項２に記載の油圧システム。
【請求項４】
前記成形システムは、金型エジェクタユニットを有し、
前記油圧システムは、前記金型エジェクタユニットを作動させるに際して用いられる作動油を貯蔵するためのエジェクタアキュムレータをさらに備え、
前記切換弁は、前記サーボポンプを前記射出アキュムレータと前記エジェクタアキュムレータとの両方若しくは前記型締アキュムレータのいずれかに選択的に流体接続する、請求項１に記載の油圧システム。
【請求項５】
前記エジェクタアキュムレータは、前記射出アキュムレータと並列に接続されている、請求項４に記載の油圧システム。
【請求項６】
前記圧力センサから測定値を受信するように前記圧力センサに接続された制御装置であって、該制御装置は、前記サーボポンプからの作動油の搬送を制御するように前記サーボポンプに接続されている、制御装置を備え、
前記制御装置は、
命令を記憶するためのメモリと、
前記受信した測定値に基づいて前記サーボポンプの動作を制御するように該メモリに記憶された該命令を実行するためのプロセッサと、
を有する、請求項１に記載の油圧システム。
【請求項７】
（ｉ）前記射出アキュムレータと前記射出アクチュエータとの間、（ｉｉ）前記型締アキュムレータと前記型締アクチュエータとの間、及び（ｉｉｉ）前記サーボポンプと前記リザーバとの間の前記作動油の圧力を測定するように構成された複数の圧力センサを備える、請求項６に記載の油圧システム。
【請求項８】
前記切換弁は、前記サーボポンプを前記射出アキュムレータに選択的に接続する及び非接続にするように構成された射出回路弁と、前記サーボポンプを前記型締アキュムレータに選択的に接続する及び非接続にするように構成された型締回路弁と、を備える、請求項１に記載の油圧システム。
【請求項９】
前記型締アキュムレータ及び前記射出アキュムレータから前記サーボポンプへの作動油の流れを抑制するためのチェック弁をさらに備える、請求項１に記載の油圧システム。
【請求項１０】
成形システムのための油圧システムの動作方法であって、該成形システムは、射出アクチュエータを作動させるための油圧を提供するための射出アキュムレータを有し、前記成形システムは、型締アクチュエータを作動させるための油圧を提供するための型締アキュムレータを有し、
前記方法は、
ポンプを前記射出アキュムレータに流体接続することと、
前記射出アキュムレータを所定の射出圧力までチャージするように前記射出アキュムレータに作動油を搬送することと、
前記ポンプを前記型締アキュムレータに流体接続することと、
前記型締アキュムレータを所定の型締圧力までチャージするように前記型締アキュムレータに作動油を搬送することと、
を含み、
前記ポンプを前記射出アキュムレータに流体接続するように切換弁が実装され、かつ該切換弁は、前記ポンプを前記型締アキュムレータに流体接続するように切り換えられる、成形システムのための油圧システムの動作方法。
【請求項１１】
前記所定の型締圧力は、前記所定の射出圧力とは異なる、請求項１０に記載の方法。
【請求項１２】
前記成形システムは、金型エジェクタユニットを作動させるように作動油を供給するためのエジェクタアキュムレータを備え、
前記型締アキュムレータに作動油を搬送することは、前記型締アキュムレータ及び前記エジェクタアキュムレータに前記所定の型締圧力になるまで作動油を搬送することを含む、請求項１０に記載の方法。
【請求項１３】
前記所定の射出圧力及び前記所定の型締圧力を達成するように、前記型締アキュムレータ及び前記射出アキュムレータのうちの１つ以上に関連付けられた圧力測定値に基づいて前記ポンプを調整することをさらに含む、請求項１０に記載の方法。
【請求項１４】
前記射出アキュムレータに作動油を搬送することは、前記型締アキュムレータに作動油を搬送することの前に行われる、請求項１０に記載の方法。
【請求項１５】
成形システムのための油圧システムの動作方法であって、該成形システムは、射出アクチュエータを作動させるための油圧を提供するための射出アキュムレータを有し、かつ前記成形システムは、型締アクチュエータを作動させるための油圧を提供するための型締アキュムレータを有し、
前記方法は、
切換弁を用いてポンプを前記射出アキュムレータに流体接続することと、
前記射出アキュムレータを所定の射出圧力までチャージするように前記射出アキュムレータに作動油を搬送することと、
前記ポンプが前記型締アキュムレータに流体接続するように前記切換弁を切り換えることと、
前記型締アキュムレータを所定の型締圧力までチャージするように前記型締アキュムレータに作動油を搬送することと、
を含む、成形システムのための油圧システムの動作方法。
【発明の詳細な説明】
【技術分野】
【０００１】
開示は、射出成形機に関し、より詳細には、射出成形機内の油圧システムに関する。
【背景技術】
【０００２】
一般に、樹脂を受容するためのホッパと、ホッパに接続されたバレルと、バレル内で移動して樹脂に力を付与してバレルに沿って樹脂を溶融且つ移動させるスクリューとを備える。溶融樹脂は、バレルから１つ以上の溶融流路を画定する溶融流路装置内に射出される。溶融樹脂は、溶融流路を通過して１つ以上のノズルへ進む。次いで、溶融樹脂は、ノズル内に画定されたゲートを通って金型キャビティ内に排出される。金型キャビティは、２つの金型プレートを共に締結することによって形成され得る。
【図面の簡単な説明】
【０００３】
【図１】図１は、成形システムの側面図を示す。
【図２】図２は、成形システム用の油圧システムの概略図を示す。
【図３】図３は、成形システム用の油圧システムの概略図を示す。
【図４】図４は、成形システム用の油圧システムの動作方法を示すフローチャートである。
【発明を実施するための形態】
【０００４】
図面は必ずしも縮尺どおりではなく、仮想線、図式的表現及び断片図で示すことができる。特定の例では、本発明の実施形態の理解に必要とされない詳細又は他の細部を把握することを困難にする詳細は省略され得る。同一の要素及び特徴を識別するために、同様の参照番号が図面において使用されている。
【０００５】
一般に、射出アキュムレータ及び型締アキュムレータと共に使用するための速度可変ポンプが開示される。速度可変ポンプは、様々な流量の作動油を油圧回路又は複数の油圧回路に搬送するポンプである。速度可変ポンプ（例えば、ポンプ用のモータの１分当たりの回転数によって与えられるような）動力又は力は、２つ以上のアキュムレータの各々に関連付けられた作動油の圧力に基づいて、若しくは１つ以上の油圧回路に関連付けられた圧力に基づいて調整される。例えば、速度可変ポンプは、アキュムレータボトル内の又はアキュムレータボトルに関連付けられた圧力のレベルに基づいた圧力又は流量で作動油を搬送する。可変ポンプは、圧力及び流量を制御することができ、様々なアキュムレータが様々な油圧を有するか若しくは様々な油圧にチャージされるように作動油を様々なアキュムレータに搬送することができるので、可変ポンプである。作動油は、ポンプによって異なる（すなわち一つだけの）期間中に異なるアキュムレータに搬送することができる。ポンプは、ポンプが特定のアキュムレータに選択的に接続されるように１つの切換弁又は１つ以上の弁の別の構成に接続することができる。例えば、切換弁は、ポンプと第１のアキュムレータとの間の流体接続からポンプと第２のアキュムレータとの間の流体接続へ切り換えるように（例えば、制御装置によって）制御することができる。切換弁の制御は、自動にすることができ（例えば、切換弁を所定の時間において若しくは所定の事象の発生時に切り換えることができる）、あるいは、成形システム又は作動油の検知された特性に基づくことができる。これらの方法では、異なるアキュムレータを異なる圧力レベルで独立にチャージすることができる。
【０００６】
さらに詳細に説明すると、本文献に記載された油圧システムは、作動油を第１のアキュムレータには第１の圧力で、及び第２のアキュムレータには第２の圧力で供給するために、２つのアキュムレータを、２つのサブシステムの各々について１つずつ、及び、速度可変ポンプと呼ばれてもよい単一のポンプを採用することができる。第１のアキュムレータは、加圧された作動油を型締ユニット油圧回路に給送する。型締ユニット油圧回路は、金型に型締圧力を作用させるために作動油が流れる油圧回路である。第２のアキュムレータは、加圧された作動油を射出ユニット油圧回路に給送する。射出ユニット油圧回路は、射出ユニット（例えば、溶融物分配組立体又は溶融流路装置又はホットランナー内に樹脂を注入する）を作動させるために作動油が流れる油圧回路である。このようにして、油圧を必要とする２つの機械システム（射出ユニット油圧回路及び型締ユニット油圧回路）に異なる圧力を提供することができる。その結果、従来の構成と比較して、動作の速度を同じままにしながら、射出成形機又は射出成形システムの全体的な電気エネルギー消費量を低減することができる。従って、本文献に記載された構成は、高速作用、低エネルギー消費の独立した油圧に対応している。切換弁は、一度に１つのアキュムレータに供給するようにポンプを切り換えることができ、かつポンプは各アキュムレータを所望のレベルまでチャージする。したがって、型締ユニット回路は、射出ユニット回路とは異なる圧力を有することができる。
【０００７】
一態様では、成形システムのための油圧システムであって、成形システムは、型締アクチュエータと射出アクチュエータとを有し、油圧システムは、型締アクチュエータを作動させるために使用される作動油を貯蔵するための型締アキュムレータと；射出アクチュエータを作動させるために使用される作動油を貯蔵するための射出アキュムレータと；型締アキュムレータ及び射出アキュムレータに作動油を搬送するためのポンプと；ポンプを型締アキュムレータ及び射出アキュムレータの一方に選択的に流体接続させるための切換弁と、を備える、油圧システムが開示される。
【０００８】
いくつかの実施形態では、油圧システムは、作動油を貯蔵するためのリザーバをさらに備え、ポンプは、リザーバに接続され、かつリザーバから切換弁を介して射出アキュムレータ及び型締アキュムレータの一方に作動油を搬送するように構成されている。
【０００９】
油圧システムのいくつかの実施形態では、成形システムは、金型エジェクタユニットを有し、油圧システムは、金型エジェクタユニットを作動させるに際して使用される作動油を貯蔵するためのエジェクタアキュムレータをさらに備え、切換弁は、ポンプを型締アキュムレータとエジェクタアキュムレータの双方若しくは射出アキュムレータのいずれかに選択的に流体接続する。
【００１０】
油圧システムのいくつかの実施形態では、エジェクタアキュムレータは、型締アキュムレータと並列に接続される。
【００１１】
油圧システムのいくつかの実施形態では、成形システムは、金型エジェクタユニットを有し、油圧システムは、金型エジェクタユニットを作動させるに際して使用される作動油を貯蔵するためのエジェクタアキュムレータをさらに備え、切換弁は、ポンプを射出アキュムレータとエジェクタアキュムレータの両方若しくは型締アキュムレータのいずれかに選択的に流体接続する。
【００１２】
油圧システムのいくつかの実施形態では、エジェクタアキュムレータは、射出アキュムレータと並列に接続される。
【００１３】
いくつかの実施形態では、油圧システムは、作動油の特性を測定するように構成されたセンサをさらに備え、ポンプは、該特性の測定値に基づいて作動油を搬送するように構成されたサーボポンプである。
【００１４】
油圧システムのいくつかの実施形態では、センサは、型締アキュムレータ及び射出アキュムレータの一方における作動油の特性を測定するように構成されている。
【００１５】
いくつかの実施形態では、油圧システムは：作動油の特性を測定するように構成されたセンサと；センサから測定値を受信するためにセンサに接続された制御装置であって、ポンプからの作動油の搬送を制御するためにポンプに接続され、命令を記憶するためのメモリと；受信した測定値に基づいてポンプの動作を制御するためにメモリに記憶された命令を実行するためのプロセッサと、を有する制御装置と、をさらに備える。
【００１６】
油圧システムのいくつかの実施形態では、センサは、型締アキュムレータ及び射出アキュムレータの一方における作動油の特性を測定するように構成されている。
【００１７】
油圧システムのいくつかの実施形態では、制御装置は、射出サイクルを計時するためのタイマーをさらに備え、プロセッサは、受信した測定値に基づいて及び射出サイクル中の時間に基づいてポンプの動作を制御する。
【００１８】
油圧システムのいくつかの実施形態では、センサは、圧力センサであり、測定された特性は、作動油の圧力である。
【００１９】
油圧システムのいくつかの実施形態では、センサは、型締アキュムレータに接続され、センサは、型締アキュムレータ内の作動油の圧力を測定するように構成されている。
【００２０】
油圧システムのいくつかの実施形態では、センサは、射出アキュムレータに接続され、センサは、射出アキュムレータ内の作動油の圧力を測定するように構成されている。
【００２１】
油圧システムのいくつかの実施形態では、センサは、射出アキュムレータと射出アクチュエータとの間の作動油の圧力を測定するように構成されている。
【００２２】
油圧システムのいくつかの実施形態では、センサは、型締アキュムレータと型締アクチュエータとの間の作動油の圧力を測定するように構成されている。
【００２３】
油圧システムのいくつかの実施形態では、（ｉ）射出用アキュムレータと射出用アクチュエータとの間、（ｉｉ）型締アキュムレータと型締アクチュエータとの間、及び（ｉｉｉ）ポンプとリザーバとの間の作動油の圧力を測定するように構成された複数のセンサがある。
【００２４】
油圧システムのいくつかの実施形態では、切換弁は、ポンプを射出アキュムレータに選択的に接続及び非接続するように構成された射出回路弁と、ポンプを型締アキュムレータに選択的に接続及び非接続するように構成された型締回路弁と、を備える。
【００２５】
油圧システムのいくつかの実施形態では、射出アキュムレータは、射出アクチュエータに流体接続され、型締アキュムレータは、型締アクチュエータに流体接続される。
【００２６】
いくつかの実施形態では、油圧システムは、型締アキュムレータ及び射出アキュムレータからポンプへの作動油の流れを抑制するためのチェック弁をさらに備える。
【００２７】
別の態様では、成形システムのための油圧システムを動作させる方法が開示され、成形システムは、射出アクチュエータを作動させるための油圧を提供する射出アキュムレータを有し、成形システムは、型締アクチュエータを作動させるための油圧を提供するための型締アキュムレータを有し、本方法は：ポンプを射出アキュムレータに流体接続することと；射出アキュムレータを所定の射出圧力までチャージするために射出アキュムレータに作動油を搬送することと；ポンプを型締アキュムレータに流体接続することと；型締アキュムレータを所定の型締圧力までチャージするために型締アキュムレータに作動油を搬送することと、を含む。
【００２８】
油圧システムの動作方法のいくつかの実施形態では、ポンプを射出アキュムレータに流体接続するために切換弁が実装され、かつポンプを型締アキュムレータに流体接続するように切換弁が切り換えられる。
【００２９】
油圧システムの動作方法のいくつかの実施形態では、型締圧力は、射出圧力とは異なる。
【００３０】
油圧システムの動作方法のいくつかの実施形態では、成形システムは、金型エジェクタユニットを作動させるために作動油を供給するためのエジェクタアキュムレータを備え、型締アキュムレータに作動油を搬送することは、型締アキュムレータ及びエジェクタアキュムレータに所定の型締圧力まで作動油を搬送することを含む。
【００３１】
いくつかの実施形態では、油圧システムの動作方法は、所定の射出圧力及び所定の型締圧力を達成するために型締アキュムレータ及び射出アキュムレータのうちの１つ以上に関連付けられた圧力測定値に基づいてポンプを調整することをさらに含む。
【００３２】
油圧システムの動作方法のいくつかの実施形態では、射出アキュムレータに作動油を搬送することは、型締アキュムレータに作動油を搬送することの前に行われる。
【００３３】
別の態様では、成形システムのための油圧システムを動作させる方法が開示され、成形システムは、射出アクチュエータを作動させるための油圧を提供する射出アキュムレータを有し、成形システムは、型締アクチュエータを作動させるための油圧を提供するための型締アキュムレータを有し、本方法は：切換弁を用いてポンプを射出アキュムレータに流体接続することと；射出アキュムレータを所定の射出圧力までチャージするために射出アキュムレータに作動油を搬送することと；ポンプを型締アキュムレータに流体接続するように切換弁を切り換えることと；型締アキュムレータを所定の型締圧力までチャージするために型締アキュムレータに作動油を搬送することと；を含む。
【００３４】
別の態様では、成形システムのための油圧システムが開示され、成形システムは、型締アクチュエータと射出アクチュエータとを有し、油圧システムは：型締アクチュエータを動作させる際に使用する作動油を貯蔵するための型締アキュムレータと；射出アクチュエータを動作させる際に使用する作動油を貯蔵するための射出アキュムレータと；射出アキュムレータに作動油を搬送するための第１のポンプと；型締アキュムレータに作動油を搬送するための第２のポンプと；射出アキュムレータの圧力レベルが型締アキュムレータの圧力レベルとは独立していることを確保するように第１のポンプと第２のポンプの動作を制御するための制御装置と；を備える。
【００３５】
以下に、前述の態様の１つ以上の実施形態を説明する。
【００３６】
成形システム
図１は、成形システム９００の概略図を示す。成形システム９００は射出成形機である。図示されていない成形システムの別の例は、圧縮成形システムである。成形システム９００は、型締組立体１３０と、射出ユニット１５０と、射出アクチュエータ１５１と、成形材料分配器１２６と、金型組立体１２０と、型締アクチュエータ１００とを備える。
【００３７】
型締組立体１３０は、第１のプラテン１３２と、可動プラテン１３４と、第２のプラテン１３６と、タイバー１３８と、型締装置１４０とを備える。第１のプラテン１３２及び第２のプラテン１３６は、固定プラテンである。可動プラテン１３４は、第１のプラテン１３２と第２のプラテン１３６との間を移動するのに適合するように配置されている。可動プラテン１３４は、第１のプラテン１３２と第２のプラテン１３６との間に配置される
。
【００３８】
タイバー１３８は、第１のプラテン１３２から第２のプラテン１３６まで延在している。４つのタイバー１３８があり、各タイバー１３８は第１のプラテン１３２の４つの角（略角）の１つを、第２のプラテン１３６のそれぞれの角（略角）に接続する。第１のプラテン１３２及び第２のプラテン１３６はタイバー１３８に固定することができる。タイバー１３８は、可動プラテン１３４の対応するそれぞれの角（略角）を通って延在している。可動プラテン１３４は、第１のプラテン１３２と第２のプラテン１３６との間でタイバー１３８に沿って移動又は摺動するようにタイバー１３８に摺動可能に連結されている。
【００３９】
型締装置１４０及び型締アクチュエータ１００は共に動作して、可動プラテン１３４を第２のプラテン１３６に対して移動させる。型締装置１４０は、型締アクチュエータ１００によって起動される。第２のプラテン１３６は、型締装置１４０に接続されるか、又は別様に型締装置１４０に関連付けられる。型締装置１４０が起動されると、型締装置が型締力を印加して、可動プラテン１３４を第１のプラテン１３２に向けて押す。型締装置１４０は、タイバー１３８を第２のプラテン１３６に向けて引張ることもできる。それに応じて、型締力は、第１のプラテン１３２と可動プラテン１３４にわたって印加される。
【００４０】
型締装置１４０は、型締ピストン１４２と型締シリンダ１４４とを含む。型締シリンダ１４４は、円筒状のボア１４６を画定する。型締ピストン１４２は、円筒状のボア１４６の内部に配置され、円筒状のボア１４６の内部で直線的に移動可能である。型締シリンダ１４４は、第２のプラテン１３６に連結されている。型締シリンダ１４４は、第２のプラテン１３６と一体的に形成されている。型締ピストン１４２の端部が可動プラテン１３４に接続されるように型締ピストン１４２が第２のプラテン１３６内の孔を貫通して延在している。型締ピストン１４２が、第１のプラテン１３２に向かって移動すると、型締シリンダ１４４は、可動プラテン１３４が第１のプラテン１３２に向かって移動するように、第２のプラテン１３６と共に静止したままである。
【００４１】
型締アクチュエータ１００は、型締ピストン１４２を型締シリンダ１４４に対して移動させるための油圧を提供するように構成された油圧チャンバを含むことができ、それにより、型締力を第１のプラテン１３２及び可動プラテン１３４にわたって提供する。型締ピストン１４２は、型締アクチュエータ１００の構成要素として見做されてもよい。
【００４２】
上述されている、型締装置１４０以外の適切な機構は、可動プラテン１３４を第１のプラテン１３２及び第２のプラテン１３６に対して相対的に移動させるために型締アクチュエータ１００と共に使用することができる。同様に、可動プラテン１３４と第１のプラテン１３２とにわたって型締力を印加するために型締アクチュエータ１００と共に他の機構を使用することができる。
【００４３】
射出ユニット１５０は、一般に、ホッパ１９１と、バレル１９２と、ヒータ１９３と、スクリュー１９５と、機械ノズル１９４とを備えている。バレル１９２は、ホッパ１９１に接続された中空内部を有する。
【００４４】
ホッパ１９１は、樹脂(例えば、ペレット)を受け入れ、かつバレル１９２の内部に樹脂を供給可能とするように設計されている。ヒータ１９３は、バレル１９２に接続され、バレル１９２の内部の樹脂を溶融させるためにバレル１９２に熱を供給する。他の実施形態では、バレル１９２に接続された複数のヒータ１９３が存在するかあるいは全く存在しない場合がある。スクリュー１９５は、バレル１９２の中空内部に配置されている。スクリュー１９５は、バレル１９２内で樹脂を混合、溶融して樹脂に直線力を伝達するようにバレル１９２の中空内部で回転して直線的に移動するように適合されている。いくつかの実施形態では、スクリュー１９５は樹脂を混合するためにのみ回転するように適合されている。いくつかの実施形態では、スクリュー１９５は樹脂を混合するためにのみ使用される。いくつかの実施形態では、スクリュー１９５は、樹脂を部分的に溶融させるために使用される。機械ノズル１９４は、バレル１９２の端部に接続されている。機械ノズル１９４は、バレルと成形材料分配器との間に接続されて流体を提供する。機械ノズル１９４は、樹脂を放出又は排出するための出口を有する。スクリュー１９５が樹脂に直線力を伝達すると、樹脂は機械ノズル１９４を通ってその出口から移動する。
【００４５】
射出アクチュエータ１５１は、樹脂に直線力を与えるようにスクリュー１９５を作動させる。例えば、射出アクチュエータ１５１は、スクリュー１９５をバレル１９２内で機械ノズル１９４に向かって直線的に移動させることができる。この力は、樹脂を機械ノズル１９４から（例えば、その出口を通って）成形材料分配器１２６の内部へ射出させることができる。代替的な実施形態では、射出ユニット１５０は、樹脂を成形材料分配器１２６内に押し込むために射出アクチュエータ１５１によって作動されることができるシューティングポットプランジャ（図示せず）を含む。このような例示的な実施形態では、射出アクチュエータ１５１は、スクリュー１９５の代わりにシューティングポットプランジャをシューティングポットシリンダ（図示せず）内で直線的に移動させることができる。射出アクチュエータ１５１は、したがって、樹脂を圧力下で成形材料分配器１２６内に射出させる。
【００４６】
成形材料分配器１２６は、射出ユニット１５０から樹脂を受け取り、樹脂を金型キャビティ１２３に分配するように構成される。金型キャビティ１２３は、金型組立体１２０によって画定される。金型キャビティ１２３は、成形部品を形成するために樹脂が注入される空間である。可動プラテン１３４と第１のプラテン１３２にわたって型締力が印加されるときに（すなわち、型締アクチュエータ１００が型締装置１４０を作動するときに）金型キャビティ１２３内への樹脂の注入を形成することができる。成形材料分配器１２６は、第１のプラテン１３２に接続されるか、あるいは別様に第１のプラテン１３２に関連付けられている。金型組立体１２０は、固定金型部１２２と可動金型部１２４とを含む。固定金型部１２２は、第１のプラテン１３２に接続されるか、あるいは別様に第１のプラテン１３２に関連付けられている。可動金型部１２４は、可動プラテン１３４に接続されるか、あるいは別様に可動プラテン１３４に関連付けられている。固定金型部１２２及び可動金型部１２４は協働して金型キャビティ１２３を画定する。
【００４７】
可動プラテン１３４の移動は、可動金型部１２４を固定金型部１２２に向けて移動させ、これにより、金型組立体１２０を閉鎖して金型キャビティ１２３を形成する。金型組立体１２０が閉鎖されたときに、金型キャビティ１２３が固定金型部１２２と可動金型部１２４との間に形成される。
【００４８】
一般に、型締アクチュエータ１００は、支持構造に対してペイロードを移動させる。図示の実施形態では、ペイロードは可動プラテン１３４、型締ピストン１４２、又は可動金型部１２４である。図示の実施形態では、支持構造は、第２のプラテン１３６、タイバー１３８又は型締シリンダ１４４である。
【００４９】
動作時には、型締アクチュエータ１００は、型締ピストン１４２を伸縮させて、可動プラテン１３４を第１のプラテン１３２に向かうように、又は、第１のプラテン１３２から離れるように移動させる。可動プラテン１３４が第１のプラテン１３２に向かって移動されると、金型組立体１２０は閉鎖される。金型組立体１２０が閉位置にあるとき、可動プラテン１３４を第１のプラテン１３２に対抗して又は第１のプラテン１３２に向けて付勢することにより型締アクチュエータ１００は、さらなる型締力を印加させることができる。この更なる型締力が金型組立体１２０を共に締め付ける。型締力は、射出ユニット１５０が金型キャビティ１２３に樹脂を射出している状態で金型組立体１２０を共に締め付けることができる。
【００５０】
図１は、成形システム９００の例示的な実施形態を示している。型締アクチュエータ１００が型締力を提供することができる成形システム９００の他の実施形態もある。例えば、成形システムは、２つのプラテン（例えば、可動プラテン１３４及び第１のプラテン１３２）のみを有していてもよく、あるいは型締装置１４０又は射出ユニット１５０が異なる構成を有していてもよい。
【００５１】
成形システム９００はまた、図示されていないエジェクタユニットを含むことができる。エジェクタユニットは、金型組立体１２０が開放されたときに金型組立体１２０から単数の成形部品（又は複数の成形部品）を突き出すように構成された機械構成要素である。金型組立体１２０は、可動プラテン１３４が第１のプラテン１３２から離れるように移動するときに開放される。
【００５２】
エジェクタユニットは、金型組立体１２０から成形部品を突き出すように、エジェクタユニットに力を供給するように構成されたエジェクタユニットアクチュエータを有する。エジェクタユニットは金型キャビティ１２３から成形部品をパンチアウト又は取り出すように設計又は適合されたアーム又は他の構成要素を有してもよい。エジェクタユニットアクチュエータは、成形部品を除去又はパンチアウトするためにアーム又は他の構成要素に必要とされる力を提供することができる。
【００５３】
型締アクチュエータ１００、エジェクタユニットアクチュエータ及び射出アクチュエータ１５１は、油圧動作式アクチュエータであってもよい。例えば、型締アクチュエータ１００、エジェクタユニットアクチュエータ及び射出アクチュエータ１５１は、それぞれ、油圧力又は油圧を用いて、それぞれの構成要素を作動させることができる。
【００５４】
この油圧力又は油圧は、油圧ポンプ又はアキュムレータによって提供することができる。例えば、型締アクチュエータ１００、エジェクタユニットアクチュエータ、及び射出アクチュエータ１５１の各々毎に（若しくは１つ以上に）専用のアキュムレータがあってもよい。
【００５５】
油圧システム２００
図２は、油圧システム２００の例示的な実施形態を示す概略図である。油圧システム２００は、図１に示すような、型締アクチュエータ１００及び射出アクチュエータ１５１を有する成形システム９００のためのものである。油圧システム２００は、型締アキュムレータ２２６と、射出アキュムレータ２２２と、ポンプ２１０と、切換弁２０２とを有する。
【００５６】
型締アキュムレータ２２６及び射出アキュムレータ２２２は、油圧アキュムレータの一例である。油圧アキュムレータは、高圧下で作動油を貯蔵するリザーバである。型締アキュムレータ２２６及び射出アキュムレータ２２２は、ポンプ２１０によってチャージされる（すなわち加圧された作動油が供給される）ことができる。切換弁２０２は、型締開位置又は射出開位置のいずれかにしておくことができる弁機構である。切換弁２０２が型締開位置にある場合には、型締アキュムレータ２２６に加圧作動油を供給したり、ポンプ２１０でチャージしたりすることができるが、射出アキュムレータ２２２に作動油を供給したり、ポンプ２１０でチャージしたりすることができない。切換弁２０２が射出開位置にある場合には、射出アキュムレータ２２２に加圧作動油を供給したり、ポンプ２１０でチャージしたりすることができるが、型締アキュムレータ２２６に加圧作動油を供給したり、ポンプ２１０でチャージしたりすることができない。
【００５７】
型締アキュムレータ２２６は、型締アクチュエータ１００を作動させる際に使用する作動油を貯蔵するためのものである。射出アキュムレータ２２２は、射出アクチュエータ１５１を作動させる際に使用する作動油を貯蔵するためのものである。ポンプ２１０は、作動油を型締アキュムレータ２２６又は射出アキュムレータ２２２に搬送するためのものである。切換弁２０２は、ポンプ２１０に流体接続されている型締アキュムレータ２２６及び射出アキュムレータ２２２のうちのいずれもが加圧作動油を受け取ることができる、すなわちチャージされることができるように、ポンプ２１０を型締アキュムレータ２２６及び射出アキュムレータ２２２のいずれかに選択的に流体接続するためのものである。「流体接続する」という表現は、流体（例えば、作動油）がその間を通過できるように接続することを意味することを意図している。
【００５８】
型締流体流路２２０は、ポンプ２１０から切換弁２０２を介して型締アクチュエータ１００まで延在する。型締アキュムレータ２２６は、型締アクチュエータ１００と切換弁２０２との間の型締流体流路２２０に流体接続されている。作動油のような、流体は型締流体流路２２０内を流れることができる。型締流体流路２２０はまた、型締回路とも呼ぶことができる。例えば、切換弁２０２は型締回路に対して開放可能であり、これは切換弁２０２が、型締流体流路２２０を経由して、ポンプ２１０を型締アクチュエータ１００に流体接続させていることを意味する。切換弁２０２が型締回路に対して開放されているとき、流体はポンプ２１０によって切換弁２０２を介して型締流体流路２２０に沿って型締アキュムレータ２２６まで搬送されることができる。流体はまた、型締アキュムレータ２２６から型締流体流路２２０に沿って型締アクチュエータ１００まで通過することができ、それによって型締装置１４０を作動させる。切換弁２０２が型締回路に対して閉鎖されたときには、ポンプ２１０から切換弁２０２を介して型締アキュムレータ２２６又は型締アクチュエータ１００に流体を搬送することができない。
【００５９】
同様に、射出流体流路２２８は、ポンプ２１０から切換弁２０２を介して射出アクチュエータ１５１まで延在する。射出アキュムレータ２２２は、射出アクチュエータ１５１と切換弁２０２との間の射出流体流路２２８に流体接続されている。作動油のような、流体は射出流体流路２２８内を流れることができる。射出流体流路２２８は射出回路とも呼ぶことができる。切換弁２０２は、射出回路に対して開放可能であり、それは切換弁２０２が射出流体流路２２８を経由してポンプ２１０を射出アクチュエータ１５１に流体接続していることを意味する。流体はまた、射出アキュムレータ２２２から射出流体流路２２８に沿って射出アクチュエータ１５１まで通過することができ、それによって射出ユニットを作動させる。切換弁２０２は、射出回路に対して閉鎖されるとき、ポンプ２１０により搬送される流体は、切換弁２０２を介して射出アキュムレータ２２２又は射出アクチュエータまで通過することができない。
【００６０】
１つ以上の実施形態では、切換弁２０２は、型締回路又は射出回路のいずれかに対して開放可能であるが、両者に対して同時に開放することはできない。いくつかの実施形態では、切換弁２０２は、切換弁２０２が型締回路に対して開放されている状態から射出回路に対して開放されている状態へ、そしてその逆の場合へ切り換える間の比較的短時間（例えば、０.０５秒）は型締回路及び型締回路の両方に対して開放されている。切換弁２０２が型締回路及び射出回路の両方に対して開放されているこの短い期間は、油圧ショック（又は水撃）を防止又は抑制することができ、さもなければ切換弁２０２を切換又は移行する際にそれが発生する可能性がある。この比較的短時間の間に、相対的に少量の作動油は、一般に、最高圧力源から最低圧力源へと流れることができる。この比較的短い時間は、弁を型締回路から射出回路へ、そしてその逆の場合へ移行又は切り換える際の遅延と考えることができる。一実施形態では、型締アキュムレータ２２６は、約０.５秒間チャージされる（すなわち、ポンプ２１０によって高圧作動油が供給される）。一実施形態では、射出アキュムレータ２２２は、約１.２秒間チャージされる（すなわち、ポンプ２１０によって高圧作動油が供給される）。一実施形態では、型締アキュムレータ２２６は、射出アキュムレータ２２２がチャージされる前に完全にチャージされる。油圧システムがエジェクタアキュムレータを含む一実施形態では、射出アキュムレータ２２２がチャージされる前に型締アキュムレータ２２６が完全にチャージされ、エジェクタアキュムレータがチャージされる前に射出アキュムレータ２２２が完全にチャージされる。
【００６１】
切換弁２０２が型締回路及び射出回路の両方に対して開放されている比較的短時間の間、ポンプ２１０は、型締アキュムレータ２２６及び射出アキュムレータ２２２の一方又は両方よりも低い圧力を提供することができる。代替的には、切換弁２０２が型締回路及び射出回路の両方に対して開放されている比較的短時間の間、ポンプ２１０は、型締アキュムレータ２２６及び射出アキュムレータ２２２の両方よりも高い圧力を提供することができる。
【００６２】
いくつかの実施形態では、切換弁２０２は、共に動作する射出回路弁及び型締回路弁とすることができる。射出回路弁は、ポンプ２１０を射出アキュムレータ２２２に選択的に接続したり非接続にしたりするように構成することができる。型締回路弁は、ポンプ２１０を型締アキュムレータ２２６に選択的に接続したり非接続にしたりするように構成することができる。このような実施形態では、射出回路弁及び型締回路弁は、射出回路弁が開放されているか、又は型締回路弁が開放されているように、ポンプ２１０に接続することができる。例えば、制御装置は、射出回路弁及び型締回路弁の一方のみ（すなわちせいぜい１つ）が所定の時間において開放するように射出回路弁及び型締回路弁の動作を制御することができる。
【００６３】
油圧システムはまた、リザーバ２３０を含むことができる。リザーバ２３０は、作動油を貯蔵するためのものである。ポンプ２１０は、リザーバ２３０に接続可能である。ポンプ２１０は、作動油をリザーバ２３０から切換弁２０２を介して射出アキュムレータ２２２及び型締アキュムレータ２２６の一方まで搬送するように構成することができる。
【００６４】
任意選択的に、成形システム９００は、金型エジェクタユニット２０８を含む。このような実施形態では、油圧システムはまた、エジェクタアキュムレータを有する。エジェクタアキュムレータ（図示せず）は、金型エジェクタユニット２０８を作動させるのに使用する作動油を貯蔵するためのものである。例えば、エジェクタアキュムレータは、金型エジェクタユニット２０８を作動させるためにエジェクタアクチュエータ２０６に作動油を供給することができる。そのような実施形態では、型締流体流路２２０は、型締アキュムレータ２２６及びエジェクタアキュムレータの両方（例えば、並列又は直列）に流体接続されている。型締流体流路２２０はまた、型締アクチュエータ１００及びエジェクタアクチュエータ２０６の両方に接続されている。
【００６５】
別の実施形態では、図２に示されるように、成形システム９００は金型エジェクタユニット２０８を含むが、油圧システム２００は、エジェクタアキュムレータを有しない。代わりに、油圧システム２００は、型締アキュムレータ２２６を使用してエジェクタアクチュエータ２０６に作動油を供給する。エジェクタアクチュエータ２０６は、型締アクチュエータ１００と直列に型締流体流路２２０に流体接続されている。代替的な実施形態では、エジェクタアクチュエータ２０６は、型締アクチュエータ１００と並列に型締流体流路２２０に流体接続されている。
【００６６】
成形システム９００が金型エジェクタユニット２０８を含み、かつ油圧システムがエジェクタアキュムレータを含むいくつかの実施形態では、切換弁２０２はポンプ２１０を型締アキュムレータ２２６及びエジェクタアキュムレータの両方に又は射出アキュムレータ２２２のいずれかに選択的に流体接続させる。
【００６７】
いくつかの実施形態では、成形システム９００は、金型エジェクタユニット２０８を含むが、金型エジェクタユニット２０８は型締回路ではなく射出回路に関連付けられている。このような実施形態では、エジェクタアクチュエータ２０６は、射出流体流路２２８に接続されている。エジェクタアクチュエータは、射出アクチュエータ１５１と直列又は並列のいずれかで射出流体流路２２８に接続することができる。
【００６８】
成形システム９００が金型エジェクタユニット２０８を含み、かつ金型エジェクタユニット２０８が射出回路上にある場合、油圧システム２００は、射出流体流路２２８に流体接続されたエジェクタアキュムレータ（図示せず）を含むことができる。エジェクタアクチュエータ２０６に作動油を供給してエジェクタアクチュエータ２０６を作動させるためにエジェクタアキュムレータが使用され、かつ射出アキュムレータと並列又は直列のいずれかで射出流体流路２２８に接続可能である。代替的には、エジェクタアクチュエータ２０６を作動させるために作動油をエジェクタアクチュエータ２０６に供給するために射出アキュムレータ２２２を使用することができる。
【００６９】
説明した各実施形態では、任意選択的に補助アキュムレータを使用して、補充の（又は追加の）作動油をそれぞれのアクチュエータへ供給することができる。
【００７０】
２つ以上の射出アキュムレータ２２２があってもよい。例えば、図２に示されるように、射出アキュムレータ２２２と補助射出アキュムレータ２２４とが直列に設けられる。代替的な実施形態では、複数の射出アキュムレータが並列に配置されてもよい。同様に、複数の型締アキュムレータがあってもよい。追加又は補助アキュムレータ（例えば、補助射出アキュムレータ２２４）は、それぞれのアクチュエータに追加の作動油を供給することができる。
【００７１】
チェック弁２０４は、ポンプ２１０と切換弁２０２との間に配置することができる。チェック弁２０４は、射出回路及び型締回路から（例えば、射出アキュムレータ２２２及び型締アキュムレータ２２６から）ポンプ２１０に戻る作動油の流れ又は圧力を防止又は抑制するが、ポンプ２１０から切換弁２０２へ向かっての作動油の流れ又は圧力を許容する弁である。さらなる例として、チェック弁２０４は、切換弁２０２からポンプ２１０への作動油の流れ又は圧力を防止することができる。
【００７２】
動作時に、チェック弁２０４は、ポンプ２１０（及びポンプ２１０用のモータ）が射出アキュムレータ２２２又は型締アキュムレータ２２６（又は油圧システム２００で使用される他のいかなるアキュムレータ）からの圧力に抵抗することなく、最小速度及び圧力で動作可能にさせる。ポンプ２１０が圧力に抵抗しなければならない場合、ポンプ２１０は、射出アキュムレータ２２２又は型締アキュムレータ２２６（又は使用されている他のアキュムレータ）からポンプ２１０に作用する油圧力に対抗する必要がある。
【００７３】
センサ２１２は、ポンプ２１０に接続することができる。センサ２１２は、作動油の特性を測定するように構成される。例えば、センサ２１２は、型締アキュムレータ２２６内の作動油の特性を測定するために、型締アキュムレータ２２６に接続することができる（あるいは測定するために構成されることができる）。同様に、センサ２１２は射出アキュムレータ２２２内の作動油の特性を測定するために、射出アキュムレータに接続することができる（あるいは測定するために構成されることができる）。別の実施形態では、センサ２１２は、射出アキュムレータ２２２と射出アクチュエータ１５１との間の作動油の特性を測定するように構成することができる。例えば、射出流体流路２２８内の油圧を測定するために、センサ２１２を射出アキュムレータ２２２と射出アクチュエータ１５１との間の射出流体流路２２８上に配置することができる。
【００７４】
他の実施形態では、油圧システム２００内の様々な場所における作動油の特性を測定するための複数のセンサ２１２があってもよい。例えば、図２に示されるように、（ｉ）射出アキュムレータ２２２と射出アクチュエータ１５１との間、（ｉｉ）型締アキュムレータ２２６と型締アクチュエータ１００との間、及び（ｉｉｉ）ポンプ２１０とリザーバ２３０との間の作動油の特性を測定するための３つのセンサ２１２があってもよい。
【００７５】
記載した実施形態の各々では、センサ２１２によって測定された特性は、作動油の圧力とすることができる。他の実施形態では、センサ２１２は、作動油の温度等の他の特性を測定することができる。
【００７６】
各センサ２１２は、測定された特性を示すポンプメータのような、それぞれのディスプレイ２１４に関連付けることができる。例えば、センサ２１２は、圧力センサとすることができ、ディスプレイ２１４は、それぞれの圧力測定値を示すことができる。圧力（又は他の特性）は、センサ２１２によって周期的に測定可能である。ディスプレイ２１４は、それぞれのセンサ２１２の近くに配置することができ、あるいは複数のセンサ２１２の各々は、測定された特性を代表するデータを中央インタ−フェース（例えば、ヒューマンマシンインタ−フェース）に送信することができ、そこで圧力読取等の測定された特性を代表するデータを表示することができる。図２に示される実施形態では、各センサ２１２が専用ディスプレイ２１４を有する３つのセンサ２１２がある。
【００７７】
いくつかの実施形態では、１つのセンサ２１２又は複数のセンサ２１２は、ポンプ２１０と通信しており、ポンプ２１０は、特性の測定に基づいて作動油を搬送するように構成されたサーボポンプであってもよい。例えば、センサ２１２は、圧力センサであってもよく、ポンプ２１０は、圧力センサ２１２によって測定された結果の圧力を制御するためにポンプ２１０の回転数を変化させるモータが取り付けられた固定容量型ポンプであってもよい。例えば、ポンプ２１０は、サーボポンプであってもよい。代替的には、ポンプ２１０は、固定回転数モータと測定された圧力に基づいて動作するポンプ制御装置とを備えた可変容量型ポンプであってもよい。
【００７８】
別の実施形態では、切換弁２０２の代わりに、２つのポンプ２１０を使用することができる。一方のポンプ２１０は、型締流体流路２２０を介して型締アキュムレータ２２６に作動油を供給するためのものであり、他方のポンプ２１０は、射出流体流路２２８を介して射出アキュムレータ２２２に作動油を供給するためのものである。ポンプ２１０の各々の圧力は、２つのそれぞれのセンサ２１２からの測定圧力に基づいて制御装置によって制御することができる。センサ２１２の一方が型締流体流路２２０又は型締アキュムレータ２２６に関連付けられた圧力を測定し、他方のセンサ２１２が射出流体流路２２８に関連付けられた圧力を測定する。
【００７９】
いくつかの実施形態では、油圧システム２００は、センサ２１２に接続された制御装置を含む。制御装置は、１つのセンサ２１２（又は複数のセンサ２１２）に接続することができ、それによって制御装置がセンサ２１２からデータを受信でき、センサ２１２にデータを送信することができ、あるいは別様にセンサ２１２と通信することができる。接続は物理的な接続である必要はない。例えば、データは、無線ネットワーク又は有線接続を介してセンサ２１２と制御装置との間で伝送することができる。制御装置は、センサ２１２からの作動油の特性の測定値を受信するためにセンサ２１２に接続することができる。例えば、制御装置は、作動油の特性の測定値を表すデータをセンサ２１２から受信することができる。例えば、センサ２１２は、デジタル形式で圧力を記録するという点で、デジタル圧力センサとすることができ、かつそれをメモリにローカルに記憶したり、データを直接制御装置に送信したりするようにしてもよい。
【００８０】
いくつかの実施形態では、制御装置は、ポンプ２１０からの作動油の搬送を制御するためのポンプ２１０に接続される。制御装置は、命令を記憶するためのメモリと、メモリに記憶された命令を実行するためのプロセッサとを有する。プロセッサは、受信した測定値に基づいてポンプ２１０の動作を制御するための命令を実行する。
【００８１】
制御装置はまた、射出サイクルを計時するためのタイマーを含むことができる。そのような実施形態では、プロセッサは、受信された測定値及び射出サイクル中の時間に基づいてポンプ２１０の動作を制御する。
【００８２】
制御装置はまた、センサ２１２から受信された検知データに応答して、切換弁２０２の動作を制御することもできる。例えば、制御装置は、ポンプ２１０を射出アキュムレータ２２２の代わりに、型締アキュムレータ２２６に流体接続させるように切換弁２０２を切り換えさせることができる。さらなる例として、制御装置は、センサ２１２からの受信データに応答して切換弁２０２の動作を制御することができる。
【００８３】
図３は、油圧システム３００の例示的な実施形態を示す概略図である。油圧システム３００は、ポンプ２１０と、第２のポンプ３１０とを含む。第２のポンプ３１０は、射出回路に流体接続され、型締回路には流体接続されない。第２のポンプ３１０は、リザーバ２３０又は第２の専用リザーバに接続することができる。１つ以上の実施形態では、第２のポンプは、固定回転数ポンプであってもよい。
【００８４】
別の実施形態では、型締回路に専用である第１のポンプと射出回路に専用である第２のポンプがある。このような実施形態では、第１のポンプ及び第２のポンプのいずれも切換弁２０２に接続されていない。このような実施形態では、型締回路は、射出回路から隔離することができ、それによって両者は独立した圧力レベルになる。
【００８５】
第２の補助アキュムレータボトル３０４が油圧システム３００に示されている。図示された油圧システム３００に示されているものより少ない又はより多い補助アキュムレータボトル３０４があってもよい。
【００８６】
油圧システムの動作
図４は、成形システム９００のための油圧システム２００の動作方法４００を示す。成形システム９００は、図１に示されるような成形システム９００とすることができる。例えば、成形システム９００は、油圧システム２００を含むことができ、射出アクチュエータ１５１を動作させるように油圧を提供するための射出アキュムレータ２２２を有することができ、かつ成形システム９００は、型締アクチュエータ１００を動作させるように油圧を提供するための型締アキュムレータ２２６を有することができる。
【００８７】
図４を参照すると、４０２において、ポンプ２１０が切換弁２０２を使用して射出アキュムレータ２２２に流体接続される。代替的な実施形態では、切換弁２０２を使用するのではなく、専用射出弁を使用して射出アキュムレータ２２２に流体接続することができる。このような代替的な実施形態では、ポンプ２１０が射出アキュムレータ２２２に流体接続されているとき、ポンプ２１０を型締アキュムレータ２２６に非接続にする専用型締弁もあってもよい。ポンプ２１０が射出アキュムレータ２２２に流体接続されているとき、切換弁２０２は、ポンプ２１０が型締アキュムレータ２２６に流体接続されないように配置されている。
【００８８】
４０４において、射出アキュムレータ２２２を所定の射出圧力までチャージするために作動油が射出アキュムレータ２２２に搬送される。所定の射出圧力は、制御装置に関連付けられたメモリに記憶することができる。例えば、所定の射出圧力レベルは、ユーザによって入力することができ、あるいは製造時に入力することができ、あるいは自動的に設定することができる（例えば、ソフトウェアプログラムを実行する制御装置を用いて）。所定の射出圧力は、射出サイクル中の時間に関連付けることができる。
【００８９】
４０６において、切換弁２０２は、ポンプ２１０を型締アキュムレータ２２６に流体接続するように切り換えられる。切換弁２０２がポンプ２１０を型締アキュムレータ２２６に流体接続するように切り換えられるとき、ポンプ２１０は、もはや射出アキュムレータ２２２に流体接続されない。代替的な実施形態では、ポンプ２１０を型締アキュムレータ２２６に流体接続させる専用の型締弁があってもよい。このような実施形態では、射出弁も存在する。型締弁がポンプ２１０を型締アキュムレータ２２６に流体接続させているときに、射出弁は、ポンプ２１０がもはや射出アキュムレータ２２２に流体接続されなくなるように切り離される。
【００９０】
１つ以上の実施形態では、制御装置は、切換弁２０２の切換えを制御する。例えば、制御装置は、ポンプ２１０を型締アキュムレータ２２６に流体接続するために切換弁２０２が切り換えられるときを制御することができる。切換弁２０２の制御は、所定の命令に基づいて行うことができる。例えば、所定の命令は、検知されたデータが所定の値に達すると、ポンプ２１０を型締アキュムレータ２２６に流体接続するように切換弁２０２を切り換えるよう指示することができる。
【００９１】
４０８において、型締アキュムレータ２２６を所定の型締圧力までチャージするために作動油が型締アキュムレータ２２６に搬送される。所定の型締圧力は、制御装置に関連付けられたメモリに記憶することができる。例えば、所定の型締圧力レベルは、ユーザが入力することができ、あるいは製造時に入力することができ、あるいは自動的に設定することができる（例えば、ソフトウェアプログラムを実行する制御装置を用いて）。所定の型締圧力は、射出サイクル中の時間に関連付けることができる。
【００９２】
１つ以上の実施形態では、所定の型締圧力は、所定の射出圧力とは異なり得る。
【００９３】
この方法４００を用いて、型締アキュムレータ２２６及び射出アキュムレータ２２２は、所望のかつ潜在的に異なる圧力にチャージすることができる。
【００９４】
ポンプ２１０は、速度可変ポンプと呼ぶこともできる。
【００９５】
１つ以上の実施形態では、ポンプ２１０は、固定回転数モータ及びポンプ２１０の容量を変更する制御装置で動作することができる。ポンプ２１０の容量を変更することにより、制御装置は、ポンプ２１０によって提供される圧力及び流量を制御する。
【００９６】
１つ以上の実施形態では、ポンプ２１０は、可変回転数モータを有する可変容量型ポンプであってもよい。
【００９７】
他の非限定的な実施形態では、当業者には、本開示に鑑みて、変更点及び均等物が明らかであろう。
【００９８】
本開示は、１つ以上の非限定的な例示的実施形態を提示している。当業者には、本開示の意図する範囲から逸脱することなく、開示された非限定的な実施形態に対して修正及び変更を行うことができることは明らかであろう。記載された非限定的な実施形態は、全体として本開示の特徴又は要素の一部を単に例示するものと見なされるべきである。他の有益な結果は、非限定的な実施形態を異なる方法で適用するか、若しくは当該技術に精通した者に周知の方法でそれらを修正することによって実現することができる。１つの実施形態の特定の特徴又は副次的な特徴は、別の実施形態の特定の特徴又は副次的な特徴と組み合わされて、上記で具体的には説明されていないが本開示の意図された範囲内にある特徴の組み合わせに到達することができる。任意のそのような適切かつ実行可能な特徴の組み合わせが、本開示を精査した後に、当業者には理解されるであろう。
【図１】
0006657401.tif 000002
【図２】
0006657401.tif 000003
【図３】
0006657401.tif 000004
【図４】
0006657401.tif 000005